(57)【特許請求の範囲】
【請求項１】
板面相互をほぼ同面状にして傾斜状に並設されている複数の木質小幅板からなる第一小幅板群と、
この第一小幅板群を構成する前記木質小幅板と交差する向きに傾斜し、かつ、板面相互をほぼ同面状にして並設されている複数の木質小幅板からなる第二小幅板群とを備えており、
しかも、前記第一小幅板群を構成する前記木質小幅板が夫々所定の間隔を離して平行に備えられており、かつ、前記第二小幅板群を構成する前記木質小幅板が夫々所定の間隔を離して平行に備えられていると共に、前記第一小幅板群を構成する前記夫々の木質小幅板と、該木質小幅板の板面に板面を向き合わせて重ね合わせの状態に備えられている前記第二小幅板群を構成する前記夫々の木質小幅板とが互いの交差部で接着一体とされている壁下地材の製造装置であって、
この製造装置が、前記第一小幅板群の木質小幅板と第二小幅板群の木質小幅板とを仮接着して各壁下地材を構成するように該第一小幅板群を構成する前記木質小幅板と第二小幅板群を構成する木質小幅板とを順次に積み重ねる組み付け装置と、
この組み付け装置で仮接着されて積み重ねられた複数枚の壁下地材を加圧して各壁下地材の第一小幅板群を構成する木質小幅板と第二小幅板群を構成する木質小幅板とを一体に接着する加圧装置とを備えており、
前記組み付け装置が、機台上部に前記壁下地材を構成する木質小幅板を積み重ねるプレートを移動可能に支承する無端状走行体を備える搬送手段を備え、かつ、この搬送手段の下方の当該機台に前記プレート上に配設される各木質小幅板の配設位置決め手段を昇降可能に備えて構成してあり、
この木質小幅板の配設位置決め手段が、前記第一小幅板群を構成する木質小幅板の木口及び第二小幅板群を構成する木質小幅板の長手縁の当てられる位置決めロッドと、前記第二小幅板群を構成する木質小幅板の木口及び第一小幅板群を構成する木質小幅板の長手縁の当てられる位置決めロッドとを矩形をなす仮想線上に起立するように備えており、かつ、この位置決めロッドに木口を当てられて交叉する向きに配設される第一小幅板群を構成する木質小幅板と第二小幅板群を構成する木質小幅板の当該位置決めロッドの当てられている交叉部の交叉内側にある各長手縁の交叉位置にあって各長手縁の当てられる保持ロッドを起立するように備えて構成してあり、
前記プレートが、矩形をなし、かつ、周側部に前記位置決めロッド及び保持ロッドの抜き差しされる挿通孔を備えていることを特徴とする壁下地材の製造装置。
【請求項２】
前記位置決め手段が、矩形をなす枠体を備えており、この枠体に前記位置決めロッド及び前記保持ロッドを着脱可能に立設してあることを特徴とする請求項１に記載の壁下地材の製造装置。
【請求項３】
前記組み付け装置が、当該組み付け装置の前記無端状走行体を備える搬送手段に乗せられるプレートを前記加圧装置に案内する無端状走行体を備える補助搬送手段を備えていることを特徴とする請求項１又は請求項２に記載の壁下地材の製造装置。
【発明の詳細な説明】
【技術分野】
【０００１】
この発明は、木質小幅板を交叉させて構成される面状をなす壁下地材を、的確に、かつ、効率よく製造することのできる壁下地材の製造装置の提供に関する。
【背景技術】
【０００２】
住宅等の壁の構成に用いられる壁下地は、当該壁に要請される各種の目的に対応する構成の壁下地材によって構成されている。
【０００３】
かかる壁下地を、壁内に連通空間を構成したり、耐力壁として機能するように構成する等の目的から、所定間隔を離して斜めに木質小幅板を配設した第一小幅板群と、この第一小幅板群の木質小幅板に交叉する向きに所定間隔を離して木質小幅板を配設した第二小幅板群を各木質小幅板の交叉部において接着一体とした壁下地材が提案されている。
また、かかる壁下地材の製造方法が提案されている（例えば、特許文献１）。
【０００４】
【特許文献１】特開２００２−３１７５１３公開特許公報
【発明の開示】
【発明が解決しようとする課題】
【０００５】
しかしながら、このように、所定間隔を離して斜めに木質小幅板を配設した第一小幅板群と、この第一小幅板群の木質小幅板に交叉する向きに所定間隔を離して木質小幅板を配設した第二小幅板群を各木質小幅板の交叉部において接着一体とする壁下地材は、各木質小幅板を均一の間隔を離して並設して第一小幅板群を構成し、ついで、この第一小幅板群の木質小幅板に交叉する向きに、均一の間隔を離して木質小幅板を並設し、しかも、この交叉する各木質小幅板を当該交叉部で確実に接着する必要があり、正確な作業が要請され、しかも、作業が繁雑で多くの作業手間が必要とされている。
【０００６】
この発明は、かかる複雑な構成を備える壁下地材を、所期の規格寸法、形状を備えたものとして、簡易に、かつ、手際よく製造することのできる壁下地材の製造装置の提供を目的としている。
【課題を解決するための手段】
【０００７】
かかる課題を解決するために、この発明は、板面相互をほぼ同面状にして傾斜状に並設されている複数の木質小幅板からなる第一小幅板群と、
この第一小幅板群を構成する前記木質小幅板と交差する向きに傾斜し、かつ、板面相互をほぼ同面状にして並設されている複数の木質小幅板からなる第二小幅板群とを備えており、
しかも、前記第一小幅板群を構成する前記木質小幅板が夫々所定の間隔を離して平行に備えられており、かつ、前記第二小幅板群を構成する前記木質小幅板が夫々所定の間隔を離して平行に備えられていると共に、前記第一小幅板群を構成する前記夫々の木質小幅板と、該木質小幅板の板面に板面を向き合わせて重ね合わせの状態に備えられている前記第二小幅板群を構成する前記夫々の木質小幅板とが互いの交差部で接着一体とされている壁下地材の製造装置であって、
この製造装置が、前記第一小幅板群の木質小幅板と第二小幅板群の木質小幅板とを仮接着して各壁下地材を構成するように該第一小幅板群を構成する前記木質小幅板と第二小幅板群を構成する木質小幅板とを順次に積み重ねる組み付け装置と、
この組み付け装置で仮接着されて積み重ねられた複数枚の壁下地材を加圧して各壁下地材の第一小幅板群を構成する木質小幅板と第二小幅板群を構成する木質小幅板とを一体に接着する加圧装置とを備えており、
前記組み付け装置が、機台上部に前記壁下地材を構成する木質小幅板を積み重ねるプレートを移動可能に支承する無端状走行体を備える搬送手段を備え、かつ、この搬送手段の下方の当該機台に前記プレート上に配設される各木質小幅板の配設位置決め手段を昇降可能に備えて構成してあり、
この木質小幅板の配設位置決め手段が、前記第一小幅板群を構成する木質小幅板の木口及び第二小幅板群を構成する木質小幅板の長手縁の当てられる位置決めロッドと、前記第二小幅板群を構成する木質小幅板の木口及び第一小幅板群を構成する木質小幅板の長手縁の当てられる位置決めロッドとを矩形をなす仮想線上に起立するように備えており、かつ、この位置決めロッドに木口を当てられて交叉する向きに配設される第一小幅板群を構成する木質小幅板と第二小幅板群を構成する木質小幅板の当該位置決めロッドの当てられている交叉部の交叉内側にある各長手縁の交叉位置にあって各長手縁の当てられる保持ロッドを起立するように備えて構成してあり、
前記プレートが、矩形をなし、かつ、周側部に前記位置決めロッド及び保持ロッドの抜き差しされる挿通孔を備えていることを特徴とする壁下地材の製造装置としてある。
【０００８】
このように構成される壁下地材の製造装置にあっては、所定間隔を離して斜めに木質小幅板を配設した第一小幅板群と、この第一小幅板群の木質小幅板に交叉する向きに所定間隔を離して木質小幅板を配設した対をなす第二小幅板群とを各木質小幅板の交叉部において接着一体とする壁下地材を、各木質小幅板を均一の間隔を離して並設して第一小幅板群を構成し、ついで、この第一小幅板群の木質小幅板に交叉する向きに、均一の間隔を離して第二小幅板群を構成する木質小幅板を並設し、しかも、この対をなす第一小幅板群を構成する木質小幅板と第二小幅板群を構成する木質小幅板において、交叉する各木質小幅板を当該交叉部で仮接着してなる壁下地材を、多段状に、確実、かつ、簡易に重ね合わせ、組み付け用意することができる。
【０００９】
また、このように重ね合わせ用意された仮接着状態にある各壁下地材における積み重ね時のガイド手段としての位置決めロッド及び保持ロッドを無理なく、円滑に下方に移動させることができ、仮接着状態で積み重ねられている複数の壁下地材を相互にずらすことなく確実に加圧装置に移動し、当該加圧装置において確実に接着状態とすることができる。
【００１０】
また、前記構成に係る壁下地材の製造装置にあって、前記位置決め手段が、矩形をなす枠体を備えており、この枠体に前記位置決めロッド及び前記保持ロッドを着脱可能に立設してあることを特徴とする壁下地材の製造装置では、機台に対する位置決め手段の備え付けが容易であり、また、適宜位置決めロッド及び保持ロッドに接着剤が付着した際等における保守、管理が容易とされる。
【００１１】
また、前記構成に係る壁下地材の製造装置にあって、前記組み付け装置が、当該組み付け装置の前記無端状走行体を備える搬送手段に乗せられるプレートを前記加圧装置に案内する無端状走行体を備える補助搬送手段を備えている壁下地材の製造装置では、加圧装置と組み付け装置間に当該組み付け装置又は加圧装置に備えられる搬送手段によって前記プレートの受け渡しができ難い間隔がある場合にも都合よく当該プレートを組み付け装置から加圧装置に案内することができる。
【発明の効果】
【００１２】
この発明に係る壁下地材の製造装置は、所定間隔を離して斜めに木質小幅板を配設した第一小幅板群と、この第一小幅板群と対をなす当該第一小幅板群の木質小幅板に交叉する向きに所定間隔を離して木質小幅板を配設した第二小幅板群とを各木質小幅板の交叉部において接着一体とする壁下地材を、各木質小幅板を均一の間隔を離して並設して第一小幅板群を構成し、ついで、この第一小幅板群の木質小幅板に交叉する向きに、均一の間隔を離して第二小幅板群を構成する木質小幅板を並設し、しかも、この対をなす第一小幅板群を構成する木質小幅板と第二小幅板群を構成する木質小幅板において、交叉する各木質小幅板を当該交叉部で仮接着して構成してなる壁下地材を、多段状に、確実、かつ、簡易に重ね合わせ、組み付け用意すると共に、この重ね合わせた仮接着状態の複数枚の壁下地材を一括して加圧、接着することができる。
【発明を実施するための最良の形態】
【００１３】
以下、この発明を実施するための最良の形態に係る壁下地材Ａの製造装置Ｂについて説明する。
【００１４】
図１〜図１９は、この発明を実施するための最良の形態に係る壁下地材Ａの製造装置Ｂ及び当該製造装置Ｂによって製造される壁下地材Ａを示したものである。
【００１５】
図１は、第一小幅板群Ａ’を構成する各木質小幅板Ａａと第二小幅板群Ａ”を構成する各木質小幅板Ａａとを交叉するように重ね合わせ、その各交叉部で、接着一体とした後、周縁部をカットして仕上げた壁下地材Ａの典型例を起立した状態、即ち、縦向きにして、斜め上方から見て、図２は、この壁下地材Ａにおける周縁をカットする前の要部を拡大して正面側から見て示している。
図３は、典型的な組み付け装置Ｂａをプレート４０を乗せる前の状態で上方から見て示している。図４は、この組み付け装置Ｂａ上に乗せられて各木質小幅板Ａａの並べられるプレート４０を上方から見て示している。図５は、このプレート４０を組み付け装置Ｂａに乗せて位置決めをした状態を上方から、図６は、これを縦向きに断面して正面側から見て、図７は、これを左側方から見て示している。
図８は、前記プレート４０の孔４１に位置決めロッド３８及び保持ロッド３９を挿通するように位置決め手段３０を機台１０の上方に移動し、このプレート４０から上方に突き出されている位置決めロッド３８及び保持ロッド３９を利用して第一小幅板群Ａ’を構成する木質小幅板Ａａを所定間隔で並設した状態を上方から見て、図９では、更に、この第一小幅板群Ａ’を構成する木質小幅板Ａａに第二小幅板群Ａ”を構成する木質小幅板Ａａを並べている途中を上方から見て示している。
図１０は、この組み付け装置Ｂａに壁下地材Ａを構成する木質小幅板Ａａを、当該木質小幅板Ａａ相互の交叉部で接着するように積み重ねた状態を前方から見て、図１１は、これを右側方から見て、図１２は、更に、これを左側方から見て示している。
図１３は、組み付け装置Ｂａに壁下地材Ａを構成するように積み重ねられた木質小幅板Ａａの乗せ置かれているプレート４０から前記位置決めロッド３８及び保持ロッド３９を下方に引き抜き、無端状走行体２０ａを備える補助搬送手段２０’を用いて、木質小幅板Ａａの積み重ねられたプレート４０を加圧装置Ｂｂに向けて移動させる前の状態を上方から見て、図１４は、これを、右側方から見て、図１５は、更に、これを、左側方から見て示している。
図１６は、各壁下地材Ａを構成するようにプレート４０に積み重ねられた木質小幅板Ａａを当該プレート４０と共に上方から見て示しており、図１７は、この壁下地材Ａを構成する木質小幅板Ａａの積み重ねられたプレート４０を組み付け装置Ｂａから加圧装置Ｂｂに、また、加圧処理の施された壁下地材Ａをプレート４０と共に当該加圧装置Ｂｂから取りだしている状態を上方から見て示している。
図１８は、このプレート４０に積み重ねられた壁下地材Ａを構成する木質小幅板Ａａに加圧処理を施す加圧装置Ｂｂを正面側から見て、図１９は、これを側方から見て示している。
【００１６】
まず、当該発明を実施するための最良の形態に係る壁下地材Ａの製造装置Ｂは、板面相互をほぼ同面状にして傾斜状に並設されている複数の木質小幅板Ａａからなる第一小幅板群Ａ’と、
この第一小幅板群Ａ’を構成する前記木質小幅板Ａａと交差する向きに傾斜し、かつ、板面相互をほぼ同面状にして並設されている複数の木質小幅板Ａａからなる第二小幅板群Ａ”とを備えており、
しかも、前記第一小幅板群Ａ’を構成する前記木質小幅板Ａａが夫々所定の間隔を離して平行に備えられており、かつ、前記第二小幅板群Ａ”を構成する前記木質小幅板Ａａが夫々所定の間隔を離して平行に備えられていると共に、前記第一小幅板群Ａ’を構成する前記夫々の木質小幅板Ａａと、該木質小幅板Ａａの板面に板面を向き合わせて重ね合わせの状態に備えられている前記第二小幅板群Ａ”を構成する前記夫々の木質小幅板Ａａとが互いの交差部で接着一体とされている壁下地材Ａの製造装置Ｂであって、
この製造装置Ｂが、前記第一小幅板群Ａ’の木質小幅板Ａａと第二小幅板群Ａ”の木質小幅板Ａａとを仮接着して各壁下地材Ａを構成するように該第一小幅板群Ａ’を構成する前記木質小幅板Ａａと第二小幅板群Ａ”を構成する木質小幅板Ａａとを順次に積み重ねる組み付け装置Ｂａと、
この組み付け装置Ｂａで仮接着されて積み重ねられた複数枚の壁下地材Ａを加圧して各壁下地材Ａの第一小幅板群Ａ’を構成する木質小幅板Ａａと第二小幅板群Ａ”を構成する木質小幅板Ａａとを一体に接着する加圧装置Ｂｂとを備えており、
前記組み付け装置Ｂａが、機台１０上部に前記壁下地材Ａを構成する木質小幅板Ａａを積み重ねるプレート４０を移動可能に支承する無端状走行体２０ａを備える搬送手段２０を備え、かつ、この搬送手段２０の下方の当該機台１０に前記プレート４０上に配設される各木質小幅板Ａａの配設位置決め手段３０を昇降可能に備えて構成してあり、
この木質小幅板Ａａの配設位置決め手段３０が、前記第一小幅板群Ａ’を構成する木質小幅板Ａａの木口Ａａ’及び第二小幅板群Ａ”を構成する木質小幅板Ａａの長手縁Ａａ”の当てられる位置決めロッド３８’と、前記第二小幅板群Ａ”を構成する木質小幅板Ａａの木口Ａａ’及び第一小幅板群Ａ’を構成する木質小幅板Ａａの長手縁Ａａ”の当てられる位置決めロッド３８”とを矩形をなす仮想線上に起立するように備えており、かつ、この位置決めロッド３８に木口Ａａ’を当てられて交叉する向きに配設される第一小幅板群Ａ’を構成する木質小幅板Ａａと第二小幅板群Ａ”を構成する木質小幅板Ａａの当該位置決めロッド３８の当てられている交叉部Ａｘの交叉内側にある各長手縁Ａａ”の交叉位置にあって各長手縁Ａａ”の当てられる保持ロッド３９を起立するように備えて構成してあり、
前記プレート４０が、矩形をなし、かつ、周側部に前記位置決めロッド３８及び保持ロッド３９の抜き差しされる挿通孔４１を備えて構成してある。
【００１７】
なお、前記壁下地材Ａを構成する木質小幅板Ａａは、いかなる木質材であってもよく、いわゆる天然木を製材して得られた無垢の板材、集成材、合板、ＭＤＦ等、適宜の木質板材によって構成することができ、例えば、厚さ９ｍｍ〜１２ｍｍ、幅４０ｍｍ〜１００ｍｍの杉材、檜材、唐松材を用いて構成することができる。
【００１８】
また、前記組み付け装置Ｂａは、壁下地材Ａを構成する木質小幅板Ａａを都合よく傾斜状に、かつ、第一小幅板群Ａ’を構成する木質小幅板Ａａと、第二小幅板群Ａ”を構成する木質小幅板Ａａとが交叉するように等間隔に配設し得る機能を備える位置決め手段３０を昇降可能に備え、かつ、この位置決め手段３０における位置決めロッド３８及び保持ロッド３９の抜き差しされる挿通孔４１を備えると共に機台１０上部に備えられる無端状走行体２０ａを備える搬送手段２０に乗せ置かれるプレート４０を備えて構成してあれば、いかなる構成としてあってもよいってもよい。
【００１９】
また、この機台１０に備えられる位置決め手段３０は、前記第一小幅板群Ａ’を構成する木質小幅板Ａａの木口Ａａ’及び第二小幅板群Ａ”を構成する木質小幅板Ａａの長手縁Ａａ”の当てられる位置決めロッド３８’と、前記第二小幅板群Ａ”を構成する木質小幅板Ａａの木口Ａａ’及び第一小幅板群Ａ’を構成する木質小幅板Ａａの長手縁Ａａ”の当てられる位置決めロッド３８”とを矩形をなす仮想線上に隣り合うように起立して備えてあり、しかも、この位置決めロッド３８’に木口Ａａ’を当てられて交叉する向きに配設される第一小幅板群Ａ’を構成する木質小幅板Ａａと、この位置決めロッド３８’に隣り合う位置決めロッド３８”に木口Ａａ’を当てられて前記第一小幅板群Ａ’の木質小幅板Ａａと逆向きに配設される第二小幅板群Ａ”を構成する木質小幅板Ａａの当該位置決めロッドに当接されている交叉部Ａｘの交叉内側にある各長手縁Ａａ”の交叉位置にあって、当該各長手縁Ａａ”の当接される位置に保持ロッド３９を起立するように備えて構成してあれば、いかなる、素材によって構成してあっても、また、いかなる態様に構成してあってもよい。
【００２０】
また、この位置決め手段３０は、機台１０に昇降可能に設けてあれば、いかなる手段で昇降されていてもよく、油圧等の流体圧を用いた昇降装置、モータやエンジン等による直接的な昇降装置や、当該各種駆動手段の駆動をチェーン、ベルト、各種ギヤ、ボールねじ等の適宜の駆動伝達手段を介して昇降させる等、適宜の昇降手段を用いて昇降可能に設けてあればよい。
【００２１】
また、前記プレート４０は、当該プレート４０上に各木質小幅板Ａａの第一小幅板群Ａ’及び第二小幅板群Ａ”の組み付けられてなる複数枚の壁下地材Ａをなす当該各木質小幅板Ａａを順次に積み重ね得る強度と形状とを備えたものであれば、いかなる素材によって構成してあっても、また、いかなる態様に構成してあってもよく、例えば、厚さ５０ｍｍ、長さが３１０ｃｍ、幅が１０５ｃｍのＭＤＦボードで構成することができる。
【００２２】
また、前記無端状走行体２０ａを備える搬送手段２０は、例えば、ゴムベルト、鋼製ベルト等の各種のベルトコンベヤ、各種のチェーンコンベヤ等を備えて構成することができる。
【００２３】
また、前記加圧装置Ｂｂは、プレート４０上に積み重ねられた第一小幅板群Ａ’の木質小幅板Ａａと第二小幅板群Ａ”の木質小幅板Ａａとを備える複数枚の壁下地材Ａを、その交叉部において都合よく接着するように加圧処理し得るものであれば、いかなる加圧装置Ｂｂであっても良く、例えば、各種のプレス機を用いることができる。
【００２４】
このように構成される壁下地材Ａの製造装置Ｂにあっては、所定間隔を離して斜めに木質小幅板Ａａを配設した第一小幅板群Ａ’と、この第一小幅板群Ａ’の木質小幅板Ａａに交叉する向きに所定間隔を離して木質小幅板Ａａを配設した対をなす第二小幅板群Ａ”とを各木質小幅板Ａａの交叉部において接着一体とする
壁下地材Ａを、各木質小幅板Ａａを均一の間隔を離して並設して第一小幅板群Ａ’を構成し、ついで、この第一小幅板群Ａ’の木質小幅板Ａａに交叉する向きに、均一の間隔を離して第二小幅板群Ａ”を構成する木質小幅板Ａａを並設し、しかも、この対をなす第一小幅板群Ａ’を構成する木質小幅板Ａａと第二小幅板群Ａ”を構成する木質小幅板Ａａにおいて、交叉する各木質小幅板Ａａを当該交叉部で仮接着してなる壁下地材Ａを、多段状に、確実、かつ、簡易に重ね合わせ、組み付け用意することができる。
【００２５】
また、このように重ね合わせ用意された仮接着状態にある各壁下地材Ａにおける積み重ね時のガイド手段としての位置決めロッド３８及び保持ロッド３９を無理なく、円滑に下方に移動させることができ、仮接着状態で積み重ねられている複数の壁下地材Ａを相互にずらすことなく確実に加圧装置Ｂｂに移動し、当該加圧装置Ｂｂにおいて確実に接着状態とすることができる。
【００２６】
また、前記構成に係る壁下地材Ａの製造装置Ｂにあって、前記位置決め手段３０が、矩形をなす枠体３１を備えており、この枠体３１に前記位置決めロッド３８及び前記保持ロッド３９を着脱可能に立設してある壁下地材Ａの製造装置Ｂでは、機台１０に対する位置決め手段３０の備え付けが容易であり、また、適宜位置決めロッド３８及び保持ロッド３９に接着剤が付着した際等における保守、管理が容易とされる。
【００２７】
また、前記構成に係る壁下地材Ａの製造装置Ｂにあって、前記組み付け装置Ｂａが、当該組み付け装置Ｂａの前記無端状走行体２０ａを備える搬送手段２０に乗せられるプレート４０を前記加圧装置Ｂｂに案内する無端状走行体２０ａを備える補助搬送手段２０’を備えている壁下地材Ａの製造装置Ｂでは、加圧装置Ｂｂと組み付け装置Ｂａ間に当該組み付け装置Ｂａ又は加圧装置Ｂｂに備えられる搬送手段２０によって前記プレート４０の受け渡しができ難い間隔がある場合にも都合よく当該プレート４０を組み付け装置Ｂａから加圧装置Ｂｂに案内することができる。
【００２８】
かかる図１〜図１９に示される典型的な壁下地材Ａの製造装置Ｂについて具体的に説明する。
【００２９】
この図示例に係る壁下地材Ａの製造装置Ｂは、板面相互をほぼ同面状にして傾斜状に並設されている複数の木質小幅板Ａａからなる第一小幅板群Ａ’と、
この第一小幅板群Ａ’を構成する前記木質小幅板Ａａと交差する向きに傾斜し、かつ、板面相互をほぼ同面状にして並設されている複数の木質小幅板Ａａからなる第二小幅板群Ａ”とを備えており、
しかも、前記第一小幅板群Ａ’を構成する前記木質小幅板Ａａが夫々所定の間隔を離して平行に備えられており、かつ、前記第二小幅板群Ａ”を構成する前記木質小幅板Ａａが夫々所定の間隔を離して平行に備えられていると共に、前記第一小幅板群Ａ’を構成する前記夫々の木質小幅板Ａａと、該木質小幅板Ａａの板面に板面を向き合わせて重ね合わせの状態に備えられている前記第二小幅板群Ａ”を構成する前記夫々の木質小幅板Ａａとが互いの交差部で接着一体とされている壁下地材Ａの製造装置Ｂであって、
この製造装置Ｂが、前記第一小幅板群Ａ’の木質小幅板Ａａと第二小幅板群Ａ”の木質小幅板Ａａとを仮接着して各壁下地材Ａを構成するように該第一小幅板群Ａ’を構成する前記木質小幅板Ａａと第二小幅板群Ａ”を構成する木質小幅板Ａａとを順次に積み重ねる組み付け装置Ｂａと、
この組み付け装置Ｂａで仮接着されて積み重ねられた複数枚の壁下地材Ａを加圧して各壁下地材Ａの第一小幅板群Ａ’を構成する木質小幅板Ａａと第二小幅板群Ａ”を構成する木質小幅板Ａａとを一体に接着する加圧装置Ｂｂとを備えており、
前記組み付け装置Ｂａが、機台１０上部に前記壁下地材Ａを構成する木質小幅板Ａａを積み重ねるプレート４０を移動可能に支承する無端状走行体２０ａを備える搬送手段２０を備え、かつ、この搬送手段２０の下方の当該機台１０に前記プレート４０上に配設される各木質小幅板Ａａの配設位置決め手段３０を昇降可能に備えて構成してあり、
この木質小幅板Ａａの配設位置決め手段３０が、前記第一小幅板群Ａ’を構成する木質小幅板Ａａの木口Ａａ’及び第二小幅板群Ａ”を構成する木質小幅板Ａａの長手縁Ａａ”の当てられる位置決めロッド３８’と、前記第二小幅板群Ａ”を構成する木質小幅板Ａａの木口Ａａ’及び第一小幅板群Ａ’を構成する木質小幅板Ａａの長手縁Ａａ”の当てられる位置決めロッド３８”とを矩形をなす仮想線上に起立するように備えており、かつ、この位置決めロッド３８に木口Ａａ’を当てられて交叉する向きに配設される第一小幅板群Ａ’を構成する木質小幅板Ａａと第二小幅板群Ａ”を構成する木質小幅板Ａａの当該位置決めロッド３８の当てられている交叉部Ａｘの交叉内側にある各長手縁Ａａ”の交叉位置にあって各長手縁Ａａ”の当てられる保持ロッド３９を起立するように備えて構成してあり、
前記プレート４０が、矩形をなし、かつ、周側部に前記位置決めロッド３８及び保持ロッド３９の抜き差しされる挿通孔４１を備えて構成してある。
【００３０】
製造対象とされる壁下地材Ａは、典型的には図１に示される構造を備える壁下地材Ａであって、この図示例では、図２に示されるように、４５度の傾きで並設された第一小幅板群Ａ’を構成する木質小幅板Ａａと、この第一小幅板群Ａ’を構成する各木質小幅板Ａａの向きと直角に交叉するように、すなわち、この第一小幅板群Ａ’を構成する各木質小幅板Ａａと逆向きに４５度の傾きで並設された第二小幅板群Ａ”を構成する各木質小幅板Ａａとを、それぞれの交叉部で接着一体になすと共に、各木質小幅板Ａａの木口Ａａ’端部を当該各木質小幅板Ａａにおける長手縁に４５度をなす線上でカットし、矩形の壁下地材Ａを構成するようにしてある。すなわち、この図示例に係る壁下地材Ａでは、第一小幅板群Ａ’を構成する木質小幅板Ａａと第二小幅板群Ａ”を構成する木質小幅板Ａａとを同幅寸法の木質小幅板Ａａとしてあり、直角に交叉される第一小幅板群Ａ’を構成する木質小幅板Ａａと第二小幅板群Ａ”を構成する木質小幅板Ａａの各木口Ａａ’端部にある正方形をなす交叉部Ａｘの対角線上で当該正方形をなす交叉部Ａｘの外部側をカットするように構成してある。
【００３１】
まず、前記組み付け装置Ｂａは、一対のレール１、１によって第一の加圧装置Ｂｂと、第二の加圧装置Ｂｂ間を往復可能に設置してあり、一方の組み付け装置Ｂａに各木質小幅板Ａａを並べ込んでいる際に、他方の加圧装置Ｂｂでは、プレート４０に積み込まれた複数枚の壁下地材Ａを当該プレート４０と共に加圧装置Ｂｂにおいて、所定時間、所定の加圧条件のもとで、壁下地材Ａをなす第一小幅板群Ａ’と第二小幅板群Ａ”を構成する各木質小幅板Ａａ相互が、その交叉部において確実に密着して、第一小幅板群Ａ’と第二小幅板群Ａ”とが接着一体とされた壁下地材Ａを構成し得るようにしてある。
【００３２】
かかる前後に平行に対をなすレール１は、左右に配置されている一対の加圧装置Ｂｂ、Ｂｂ間を当該組み付け装置Ｂａが、積み込み木質小幅板Ａａを、ぶらすことなく円滑に移動できるように設けてあり、組み付け装置Ｂａに当該レール１上に転動する案内輪（図示省略）と、停止位置決め手段（図示省略）等を設けて構成してある。
【００３３】
かかる組み付け装置Ｂａは、この組み付け装置Ｂａに対して着脱可能に積み込みプレート４０を備えて構成してあり、この積み込みプレート４０を加圧装置Ｂｂに、向けて移動させる無端状走行体２０ａを備える搬送手段２０を機台１０の上部に備えて構成してある。また、機台１０上に前記プレート４０を位置決めセットする位置決め手段１７を設けてあり、この位置決め手段１７で位置決めされて、当該機台１０上にセットされたプレート４０の孔４１に前記位置決めロッド３８及び保持ロッド３９を出没可能に出し入れさせる位置決め手段３０を、前記無端状走行体２０ａを備える搬送手段２０の下方の機台１０部分に昇降可能に設けてある。
【００３４】
この、組み付け装置Ｂａを構成する機台１０は、矩形の枠体部及び当該枠体部の長手側にある枠体部を、その中央部と左右部分で一体に連結した補強枠部とを備えるようにした台部１１に、前記レール１，１間に跨るように設置されてガイド輪（図示省略）を備えており、当該レール１，１に寄って加圧装置Ｂｂ、Ｂｂ間を移動し得るように構成してある。また、当該機台１０の上部に備えられる無端状走行体２０ａを備える搬送手段２０の横架用支柱１２〜１２が当該台部１１に立設してあり、この横架用支柱１２，１２上に無端状走行体２０ａを備える搬送手段２０を設けるようにしてある。
【００３５】
かかる機台１０の上部に備えられる無端状走行体２０ａを備える搬送手段２０は、当該機台１０の手前側から後方側に向けて当該無端状走行体２０ａを備える搬送手段２０上に乗せ置かれるプレート４０を機台１０の後方側、さらには、加圧装置Ｂｂに向けて、搬送し得る形態に設けてあり、台部１１の手前側と後部側に一対の支柱１２，１２を立設し、この立設支柱１２，１２間にわたり、かつ、この立設支柱１２を越えて前方及び手前方に延びるようにガイド板１３を横架状態に設けてあり、このガイド板１３に無端状走行体２０ａを設けてある。
【００３６】
この図示例では、当該ガイド板１３に備えられる無端状走行体２０ａを備える搬送手段２０を、機台１０の長手側のほぼ中央部と左右側部とに、当該機台１０の幅方向に向けて、すなわち、当該機台１０の手前側と後方側とにわたるように設けてある。
【００３７】
また、この機台１０の台部１１には、前記位置決めロッド３８及び保持ロッド３９を備える位置決め手段３０を昇降可能に設けてあり、この位置決め手段３０は、前記各無端状走行体２０ａを備える搬送手段２０の各支柱１２〜１２を巡るように備えられる矩形枠体部３１ａと、この矩形枠体部３１ａの長手向きにある枠部間を連結する補強枠部３１ｂ〜３１ｂを備える枠体３１を、前記無端状走行体２０ａを備える搬送手段２０と台部１１間を上下動し得るように設けてある。
【００３８】
かかる、位置決め手段３０は、前記機台１０の台部１１に垂直に起立されている複数本の昇降案内ロッド１９〜１９を当該位置決め手段３０における補強枠部３１ｂに設けてある摺動案内筒部３２内に密に案内し、この位置決め手段３０が、機台１０の台部１１に平行を維持されながら上下動されうる構成としてある。
【００３９】
かかる位置決め手段３０の枠体３１は、この図示例にあっては、下端側を、前記機台１０の台部１１に備えられている軸受け部３３ｂ’に、上端側を前記ガイド板１３に備えられる軸受け部３３ｂに回転自在に軸支されているボールねじ３３のねじ軸３３”のナットユニット３３’を、当該位置決め手段３０における補強強枠部３１ｂに設けてあり、このボールねじの螺進退操作によって、位置決め手段３０における当該枠体３１を上下方向に移動可能としてある。
【００４０】
かかる機台１０に備えられる無端状走行体２０ａを備える搬送手段２０は、この図示例では、前記立設支柱１２，１２間にわたり、かつ、この立設支柱１２を越えて前方及び手前方に延びるように横架状態に備えられている板面を垂直向きにした一対のガイド板１３の側方に張り出す鍔面に、例えば、支承片を備えるチェーンコンベヤ等のチェーンコンベヤ２１が都合良く摺動し得るように添装状態に備え付けて構成してあり、この図示例では、機台１０から当該機台１０の幅方向に突き出すように前記支柱１２〜１２で支持されているガイド板１３の両側端部に備えられているスプロケット２２、２２に当該搬送手段２０としての、例えば、チェーンコンベヤ２１を掛け渡して構成してある。
【００４１】
この図示例に係る無端状走行体２０ａを備える搬送手段２０は、機台１０上に乗せ置かれるプレート４０が、当該プレート４０面に対する木質小幅板Ａａの積み重ね後に、このプレート４０を加圧装置Ｂｂに都合よく案内し得るように、このチェーンコンベヤ２１の搬送受け面が機台１０の上面より、やや上方に位置するように当該機台１０に設けてある。
【００４２】
また、この組み付け装置Ｂａにあっては、当該組み付け装置Ｂａの機台１０上でプレート４０に積み重ねられた木質小幅板Ａａを加圧装置Ｂｂに向けて、円滑、かつ、確実に移動させる手段として、当該組み付け装置Ｂａにおける後方側に無端状走行体２０ａを備える補助搬送手段２０’を設けてある。
【００４３】
この無端状走行体２０ａを備える補助搬送手段２０’は、前記各ガイド板１３における当該組み付け装置Ｂａにおける後方端部に、それぞれ回動可能に補助ガイド板１４を設けてあり、この各補助ガイド板１４を油圧シリンダ１５で、前記ガイド板１３に備えられているチェーンコンベヤ２１における搬送面と同面をなす搬送面を当該補助ガイド板１４に備えられるチェーンコンベヤ２１’にもたらし得る位置まで回動持ち上げ、不要時には、機台１０に添うように、垂直状態に回動、引き寄せ得るように構成してある。
【００４４】
かかる補助ガイド板１４には、その両側部にスプロケット２２’、２２’が設けてあり、このスプロケット２２’、２２’に搬送補助片等を備えるチェーンコンベヤ等の適宜のチェーンコンベヤ２１’が張り込んであり、例えば、この図示例では、補助ガイド板１４の側方に張り出す鍔面に当該チェーンコンベヤ２１’が摺動するように張り込んであって、前記ガイド板１３におけるチェーンコンベヤ２１の搬送面と同面の搬送面を構成し得るようにしてある。
【００４５】
かかる無端状走行体２０ａを備える搬送手段２０は、プレート４０を水平移動状態で加圧装置Ｂｂに案内する都合上、組み付け装置Ｂａにおける長手側の複数位置で、手前側から後方側、すなわち、当該組み付け装置Ｂａにおける幅方向にプレート４０を移動し得るように設けてあり、当該個々の無端状走行体２０ａを備える搬送手段２０に対応して無端状走行体２０ａを備える補助搬送手段２０’を設けてある。
【００４６】
なお、この無端状走行体２０ａを備える搬送手段２０及び無端状走行体２０ａを備える補助搬送手段２０’は、いかなる駆動手段によって駆動、搬送に供せられていてもよいが、この図示例では、機台１０の後部側に備えられているモータ２３の軸に設けたスプロケット２３ａに掛けたチェーン２４を前記各ガイド板１３〜１３の後方側端部と当該ガイド板１３に回動可能に設けた補助ガイド板１４に回転自在に支承した駆動軸２５のスプロケット２５ａに掛け回して、モータ２３の駆動を駆動軸２５に伝達するようにしてあり、この駆動軸２５に前記搬送手段２０の無端状走行体２０ａ及び補助搬送手段２０’の無端状走行体２０ａの一方側のスプロケット２２、２２’を設け、この各スプロケット２２、２２’に架装した各チェーンコンベヤ２１、２１’を当該各スプロケット２２、２２’と対をなしている他方のスプロケット２２、２２’に掛け回すことで、前記搬送手段２０の各無端状走行体２０ａと、補助搬送手段２０’の無端状走行体２０ａのチェーンコンベヤ２１、２１’を同調して駆動させることができる。
【００４７】
かかる機台１０に対して備え付けられる位置決め手段３０は、前記搬送手段２０の無端状走行体２０ａを備える支柱１２を取り囲むように矩形枠体部３１ａを備えていると共に、この矩形枠体部３１ａの各長手側にある枠部を幅方向に連続させた補強枠部３１ｂを備えており、この補強枠部３１ｂに筒状をなす摺動案内部３２と、ボールねじ３３のナットユニット３３’を備え、台部１１に立設され
ている昇降案内ロッド１９を前記摺動案内部３２内に密に受け入れ、かつ、台部１１とガイド板１３の軸受け部で軸支されているボールねじ３３のねじ軸３３”を当該ナットユニット３３’に螺進退可能に受け入れ、枠体３１を上下方向に、正確に、平行移動し得る構成としてある。
【００４８】
かかる枠体３１は、機台１０の手前側と後方側の、それぞれ長手方向に沿って台部１１下方に回転自在に軸支されている一対の駆動軸３４を、当該軸３４、３４に備えられているスプロケット３７ｂ、３７ｂに、当該機台１０に備えられているモータ３５の軸に備えられている駆動スプロケット３７ａで駆動されるチェーン３６を噛合させて、同一向きに等速で回転させるようにし、この駆動軸３４、３４に備えるようにした同一のベベルギア３４ａ〜３４ａを、前記ボールねじ３３を構成する各ねじ軸３３”の下端部に、それぞれ設けた同一のベベルギア３３ａに噛合させて、当該各ボールねじ３３における各ねじ軸３３”を等速で、同一向きに回転させ、前記枠体３１を上下方向に確実に平行移動し得るように構成してある。
【００４９】
かかる壁下地材Ａの組み付け装置Ｂａは、一枚の壁下地材の製作に適合する組み付け面の大きさを備えた構成としてあっても、一連に連続する複数枚の壁下地材を一連に同時に組み付け得る大きさの構成とし、成形した後に、この成形壁下地材を、所期の壁下地材の寸法に切断して構成するようにしてあってもよく、例えば、壁下地材の二枚分の長さを備える壁下地材を一連に構成し、その加圧成形後に、これを二分して、二枚の壁下地材Ａを構成するようにしてあってもよい
【００５０】
また、この壁下地材Ａの製造装置Ｂにあっては、長方形状をなす矩形の木質小幅板Ａａを並設し、また、この並設された木質小幅板Ａａの上に、同様の木質小幅板Ａａを並設して、両者を、その交叉部において接着一体にした状態で、壁下地材Ａとしてあっても、さらに、かかる接着一体とされた第一小幅板群Ａ’を構成する木質小幅板Ａａと第二小幅板群Ａ”を構成する木質小幅板Ａａの周縁にある正方形状をなす交叉部Ａｘを、その対角線位置から外側をカットするように切断処理して、矩形をなす壁下地材Ａを構成するようにしてあってもよい。
【００５１】
かかる組み付け装置Ｂａにおける位置決め手段３０を、図示例について具体的に説明する。
【００５２】
この位置決め手段３０における前記矩形枠体部３１ａは、ほぼ等幅の環板状の枠体部として構成してあり、この帯状の幅を備える矩形枠体部３１ａの外周縁に沿って、より具体的には、矩形の仮想線に沿って、位置決めロッド３８が、この矩形枠体部３１ａを周回するように立設してある。また、この位置決めロッド３８の立設位置の内側に、この位置決めロッド３８を連続する線分から所定間隔を隔てて構成される矩形の仮想線分に沿って保持ロッド３９が立設してある。なお、サイズ違いの壁下地材Ａを都合良く作成し得るように、一方長手側端部に、当該矩形枠体部３１ａの短手側に沿う二条の位置決めロッド３８及び保持ロッド３９を設け、当該矩形枠体部３１ａを巡る二態様の位置決めロッド３８と保持ロッド３９の周回列を構成してある。
【００５３】
ここで、矩形枠体部３１ａに備えられる位置決めロッド３８と保持ロッド３９は、当該矩形枠体部３１ａの上面から当該矩形枠体部３１ａにねじ入れ等適宜の手段で、着脱可能に植設し得るようにしてあり、必要に応じて交換したり、撤去することができるようにしてある。また、この、位置決めロッド３８も保持ロッド３９も、表面に木質小幅板Ａａの接着処理に伴う接着剤の付着等による損耗を避けるために適宜の表面処理、例えば、米国デュポン社のテフロン（登録商標）樹脂等のフッ素樹脂塗膜で覆う等の表面処理を施すことが好ましい。
【００５４】
かかる塗膜を備える位置決めロッド３８及び保持ロッド３９は、積み重ねられる壁下地材Ａから当該各ロッドを抜き出す際に都合良く、また、接着剤の付着が少なく、その剥離、除去が容易である。
【００５５】
かかる矩形枠体部３１ａに備えられる位置決めロッド３８は、所定間隔を離して斜めに傾けて並設される第一小幅板群Ａ’を構成する木質小幅板Ａａの両端にある木口Ａａ’と、この第一小幅板群Ａ’を構成する木質小幅板Ａａの傾きと逆の向きの傾きで、所定の間隔を離して並設される第二小幅板群Ａ”を構成する木質小幅板Ａａの両端にある木口Ａａ’とに、当接する位置に設けてあり、図３に示されるように矩形の仮想線に沿って設けてある。なお、大きさ、特に、長さの異なる壁下地材Ａを構成する際に、木質小幅板Ａａを都合よく所定角度で並設できるように矩形枠体部３１ａにおける一方の短手側に沿って二条の位置決めロッド３８を設けるようにしてある。
【００５６】
図示例に係る位置決めロッド３８は、当該組み付け装置Ｂａに所定角度の傾きで組み付けられる木質小幅板Ａａの組み付けの傾きの向きにあわせて、すなわち、第一小幅板群Ａ’を構成する木質小幅板Ａａの各木口Ａａ’の接する位置決めロッド３８’と、第二小幅板群Ａ”を構成する木質小幅板Ａａの各木口Ａａ’の接する位置決めロッド３８”とが隣り合うように設けてある。
【００５７】
まず、当該位置決めロッド３８の一方（例えば、位置決めロッド３８’）は、例えば、組み付け装置Ｂａにおいて、作業手前側縁（図３及び図８における下側、すなわち、当該装置及び矩形枠体部３１ａにおける一方長手縁）を基準にして、この手前側縁から奥行き方向に向いている一方の縁（矩形枠体部３１ａにおける一方短手縁で、図３及び図８における矩形枠体部３１ａの左側縁）に、ほぼ４５度の角度付けをして都合よくわたされる、前記第一小幅板群Ａ’又は第二小幅板群Ａ”のいずれか一方の木質小幅板Ａａ、この図示例のあっては、第一小幅板群Ａ’の木質小幅板Ａａの両端にある各木口Ａａ’をそれぞれ当てつけ得る位置に当該位置決めロッド３８’を設けてあり、
さらに、作業手前側縁（図３及び図８における下側、すなわち、当該装置及び矩形枠体部３１ａにおける一方長手縁）から、この手前側縁に向き合っている作業後方側の縁（当該矩形枠体部３１ａにおける他方長手縁、図３及び図８の矩形枠体部３１ａの上側縁）に、ほぼ４５度の角度付けをして都合よくわたされる木質小幅板Ａａが、当該木質小幅板Ａａの両端にある各木口Ａａ’をそれぞれ当てつけ得る位置に当該位置決めロッド３８’を設けてあり、
さらに、前記短手縁に向き合っている短手縁（図３及び図８で矩形枠体部３１ａの右側にある縁）から、作業後方側の長手縁（図３及び図８の矩形枠体部３１ａの上側にある縁）に、ほぼ４５度の角度付けをして都合よくわたされる、前記木質小幅板Ａａが、当該木質小幅板Ａａの両端にある各木口Ａａ’をそれぞれ当てつけ得る位置に当該位置決めロッド３８’を設けてある。
【００５８】
さらに、当該位置決めロッド３８の他方（例えば、位置決めロッド３８”）は、この図示例では、第二木質小幅板群Ａ”をなす前記木質小幅板Ａａの傾きと傾きを逆向きに（図９において木質小幅板Ａａの手前側端に対して後方端側を右側に傾けるように）して作業手前側縁（図３及び図９における下側、すなわち、当該装置及び矩形枠体部３１ａにおける一方長手縁）からほぼ４５度の傾きをもたせて前記木質小幅板Ａａに交叉するように所定間隔を離して並設される各木質小幅板Ａａにおける両端の木口Ａａ’の突き当たり位置に設けてあり、前記位置決めロッド３８’に並ぶように設けてある。
【００５９】
ついで、この矩形枠体部３１ａに備えられる保持ロッド３９は、当該位置決めロッド３８の備えられる矩形の仮想線の内側にあって、当該仮想線から所定の間隔を離した位置に構成される矩形の仮想線に沿って備えられており、前記位置決めロッド３８’に木口Ａａ’を当てられて配設される第一小幅板群Ａ’を構成する木質小幅板Ａａと、この位置決めロッド３８’に隣り合う位置決めロッド３８”に木口Ａａ’を当てられて配設される第二小幅板群Ａ”を構成する木質小幅板Ａａの、当該位置決めロッド３８に当接されている交叉部Ａｘの交叉内側にある各長手縁Ａａ”の交叉位置にあって各長手縁Ａａ”の当てられるように設けてある。
【００６０】
この結果、この図示例にあっては、第一小幅板群Ａ’を構成する木質小幅板Ａａと第二小幅板群Ａ”を構成する木質小幅板Ａａは、それぞれ、その木口Ａａ’が一方の位置決めロッド３８につきあてられ、かつ、その長手縁Ａａ”の一方が隣に位置する位置決めロッド３８に、他方の長手縁Ａａ”が保持ロッド３９に接した状態で、位置決め手段３０上のプレート４０に組み付けることができる。
【００６１】
なお、前記機台１０には、その操作手前側の両側方、すなわち、短手側から側方に突き出すように、支柱１２の上部に平面視でコ字状の補強フレーム１６、１６を設けてあり、また、前記無端状走行体２０ａを備える搬送手段２０の上に乗せ置かれるプレート４０の位置決め手段１７をガイド板１３から突設されている取り付けプレート１８に設けてある。なお、この位置決め手段１７は、プレート４０の操作の都合上、組み付け装置Ｂａに備えられるプレート４０の操作右側縁端と操作後方縁端とが、随時、必要に応じて突き当てられるように回動可能に設けてあり、上方に回動させて当該プレート４０の側縁端に接した状態で、例えば、蝶ナット等の締め具１７ａで回動起立状態に維持しうるように構成してある。
【００６２】
なお、この機台１０に備えられる位置決め手段３０は、これを下方に移動して、各位置決めロッド３８と保持ロッド３９とを、組み付け装置Ｂａに備えられている搬送手段２０の無端状走行体２０ａに乗せかけられるプレート４０の挿通孔４１から下方に向けて抜き出し可能とされており、かつ、当該状態から、位置決め手段３０を上方に移動して、この組み付け装置Ｂａにセットされたプレート４０の挿通孔４１に当該各位置決めロッド３８と保持ロッド３９とを挿通すると共に、これを、当該挿通孔４１から上方に突き出させて、この突設されている当該位置決めロッド３８及び保持ロッド３９を用いて第一小幅板群Ａ’を構成する木質小幅板Ａａ及び第二小幅板群Ａ”を構成する木質小幅板Ａａを、順次に、必要枚数、積み重ね得るようにしてある。
【００６３】
かかる組み付け装置Ｂａにおける無端状走行体２０ａを備える搬送手段２０に乗せて用いられるプレート４０は、このプレート４０上に、順次に必要枚数の壁下地材Ａを構成する各第一小幅板群Ａ’を構成する木質小幅板Ａａ及び第二小幅板群Ａ”を構成する木質小幅板Ａａとを、順次に、積み重ね処理しうる形態を備えたものとしてあり、例えば、比較的厚手のＭＤＦボード等によって構成され、前記位置決め手段３０に備えられる位置決めロッド３８及び保持ロッド３９の挿通孔４１を当該位置決めロッド３８及び保持ロッド３９の立設態様に適合するように備えており、搬送手段２０の無端状走行体２０ａに当該プレート４０を前記位置決め手段１７をガイドにしてセットすると共に、前記位置決め手段３０の枠体３１を上方に移動させて、該プレート４０における挿通孔４１から前記位置決めロッド３８及び保持ロッド３９を上方に突き出させて、このプレート４０から突き出されている各位置決めロッド３８及び保持ロッド３９を用いて第一小幅板群Ａ’を構成する木質小幅板Ａａと第二小幅板群Ａ”を構成する木質小幅板Ａａとを一組にして、順次に、必要組数になるまで積み重ねて、壁下地材Ａの積み重ねをなし得る構成を備えたものとしてある。なお、取り扱い易いように各短手側縁に、それぞれ一対のグリップ部４２、４２を設けてある。
【００６４】
また、前記組み付け装置Ｂａから壁下地材Ａの積み重ねられたプレート４０を、当該組み付け装置Ｂａの後方側に備えられている補助搬送手段２０’を水平状態に回動起伏させて、組み付け装置Ｂａにおける位置決め手段１７を解除した状態で、この組み付け手段にある無端状走行体２０ａと前記無端状走行体２０ａとで加圧装置Ｂｂにある搬送手段５３の無端状走行体２０ａに受け渡しうるようにしてあり、この加圧装置Ｂｂは、典型的には門形に構成してあって、当該プレート４０を、その加圧装置Ｂｂに向けた水平移動状態で受け入れ得る形態、構成を備えたものとしてある。
【００６５】
かかる積み重ねられた壁下地材Ａを加圧、接着する前記加圧装置Ｂｂは、第一小幅板群Ａ’を構成する木質小幅板Ａａと第二小幅板群Ａ”を構成する木質小幅板Ａａとを互いの面を向き合わせて接着剤を介して積み重ねて対の状態とされている複数枚の壁下地材Ａを前記プレート４０と共に加圧して、各壁下地材Ａをなす第一小幅板群Ａ’を構成する木質小幅板Ａａと第二小幅板群Ａ”を構成する木質小幅板Ａａとを、その交叉部において接着一体になし得るものであれば、いかなる加圧装置Ｂｂであってもよく、図示例では、典型的なプレス装置、例えば、油圧式コールドプレスを示している。
【００６６】
この図示例に係る油圧式プレス装置５０は、門形に構成してあり、前記プレート４０を当該プレート４０の長手縁側から受け入れうる開口幅を備えた構成としてあり、そのベッド５１部分に当該門形をなすプレス装置５０における前後方向に連通した複数条の溝５１ａを設けてあり、この各溝５１ａには、当該プレス装置５０におけるスライダ５２に連結シャフト５２ａで連結されて吊り下げ状態に備えられている無端状走行体２０ａを備える搬送手段５３、典型的にはチェーンコンベヤが設けてあり、スライダ５１が上方に位置している際には、この搬送手段５３の無端状走行体２０ａであるチェーンコンベヤが当該プレス装置５０におけるベッド５１よりもやや上方に浮き出した状態としてあり、ほぼ前記組み付け装置Ｂａの搬送手段２０の無端状走行体２０ａの上面と同面の上面をなすように組み付けられており、前記組み付け装置Ｂａから搬送手段２０の無端状走行体２０ａによって壁下地材Ａを積み重ねられたプレート４０を当該プレス装置５０に受け入れるように機能する。そして、このプレス装置５０内に取り込まれた前記プレート４０に積み重ねられている壁下地材Ａに対してスライダ５１を下降して加圧する際に、当該スライダ５１の下降に伴って前記溝５１ａ内に落とし込まれ、前記プレート４０に積み重ねられている壁下地材Ａの加圧操作の妨げとならないように構成してある。
【００６７】
かかる構成からなる壁下地材Ａの製造装置Ｂについて、具体的に、その製作手順を説明する。
【００６８】
まず、図３の状態にある組み付け装置Ｂａに対して図５〜図７の状態にプレート４０を乗せかける。このプレート４０の乗せかけに先立って、機台１０に取り付けプレート１８で備えられた位置決め手段１７を上方に向けて回動し、これを締め具１７ａで締め付けて当該プレート４０の当たり部分を図３における機台１０の右側と操作後方側とに用意し、この各位置決め手段１７〜１７にＭＤＦボードからなるプレート４０を押し当てるように組み付け装置Ｂａにおける搬送手段２０の無端状走行体２０ａ上に当該プレート４０を乗せかける。（図５〜図７参照）
【００６９】
ついで、位置決めロッド３８及び保持ロッド３９を備える位置決め手段３０における枠体３１をモータ３５で駆動される前後一対の駆動軸３３ｂ、３３ｂ’にあるベベルギヤ３４ａによってボールねじ３３のねじ軸３３”を回転させ、このねじ軸３３”に螺装されているナットユニット３３’を備える枠体３１を上方に移動し、プレート４０の挿通孔４１から位置決めロッド３８及び保持ロッド３９を所定寸法分、上方に突き出させる。
【００７０】
このようにプレート４０の挿通孔４１から、所定高さまで突き出された位置決めロッド３８及び保持ロッド３９を各突き当て手段として木質小幅板Ａａを積み重ねる。
【００７１】
かかる木質小幅板Ａａの積み重ねは、第一小幅板群Ａ’を構成する木質小幅板Ａａ及び第二小幅板群Ａ”を構成する木質小幅板Ａａのいずれから積み重ねられてもよく、互いの積み重ね交叉部において都合よく接着されるように積み重ねる。
【００７２】
図８では、まず、第一小幅板群Ａ’を構成する木質小幅板Ａａの表面に接着剤を塗布し、かつ、操作手前側縁を基準にして当該木質小幅板Ａａの先端側が左側に４５度傾いた状態で、当該接着剤塗布面を上面にして各木質小幅板Ａａの裏面をプレート４０面に接するように並設する。
【００７３】
かかる、木質小幅板Ａａの並設にあっては、この組み付け装置Ｂａにおける操作手前側縁を基準にして当該木質小幅板Ａａを左側に４５度の傾きで備え付ける位置にある各位置決めロッド３８’、３８’間に都合よく密に納まる寸法の木質小幅板Ａａを前もって用意する。例えば、図８における操作手前側の左側端に４５度の角度で備えられる木質小幅板Ａａから順次に寸法の長くされた複数本の木質小幅板Ａａと、組み付け装置Ｂａにおける操作手前側縁と当該手前側縁に向き合っているに操作後方側縁の各位置決めロッド３８’、３８’間に４５度の傾きを持って備えられる同寸法の木質小幅板Ａａと、図８におけるプレート４０の右側縁の短手縁から４５度の角度を持って操作後方縁の各位置決めロッド３８’、３８’間に備えられる順次に寸法を短くした木質小幅板Ａａとを前もって用意し、これを、左側に４５度傾けて、各木口Ａａ’を位置決めロッド３８’、３８’に都合よく接するように並設する。
【００７４】
このように一組の木質小幅板Ａａを矩形の仮想線に沿って備えられている位置決めロッド３８’、３８’に各木口Ａａ’を接するように配列する。この配列される木質小幅板Ａａは、当該木質小幅板Ａａにおける木口Ａａ’に突き当たる位置決めロッド３８’、３８’と共に、第二小幅板群Ａ”をなす当該木質小幅板Ａａと逆の向きに傾けて、即ち、右側に４５度傾けて、当該木質小幅板Ａａに重ねあわされる木質小幅板Ａａの各木口Ａａ’に突き当たる位置決めロッド３８”と前記保持ロッド３９とで当該木質小幅板Ａａの長手縁Ａａ”が支持されており、この結果、木質小幅板Ａａは、それぞれの木口側端部を当該第一小幅板群Ａ’の木質小幅板Ａａの木口Ａａ’に当たる位置決めロッド３８’、一方長手縁Ａａ”に当たる第二小幅板群Ａ”の木質小幅板Ａａの木口Ａａ’に当接する位置決めロッド３８”、及び、他方長手縁Ａａ”に当たる保持ロッド３９とで支持される構成としてあり、木質小幅板Ａａは、所定位置に所定角度で確実に並設される。
【００７５】
このように並設された第一小幅板群Ａ’の木質小幅板Ａａの板面上に、図９に示すように前記並設木質小幅板Ａａと傾きを逆にして、即ち、図９において、操作手前側を基準にして先端側を右方向に４５度傾けて、前記並設木質小幅板Ａａの接着剤の塗布されている板面に板面を向き合わせるように第二小幅板群Ａ”の木質小幅板Ａａを、前記木質小幅板Ａａと同様の手法で、前記木質小幅板Ａａの木口Ａａ’に当接している位置決めロッド３８’の隣にある位置決めロッド３８”、３８”間に順次、納め入れるように並設する。
【００７６】
この第二小幅板群Ａ”を構成する木質小幅板Ａａには、特に必要とされる場合を除き、接着剤を塗布することなく、前記木質小幅板Ａａの板面に板面を向き合わせて重ね合わせ、前記木質小幅板Ａａに塗布された接着剤によって両者を、その交叉部において接着一体とするようにしてある。
【００７７】
また、この第二小幅板群Ａ”の木質小幅板Ａａの並設に際しても、当該木質小幅板Ａａの木口側端部は、この木質小幅板Ａａの木口Ａａ’に当接する位置決めロッド３８”と、一方長手縁Ａａ”に接する前記第一小幅板群Ａ７の木質小幅板Ａａの木口Ａａ’に当接する位置決めロッド３８’と、他方長手縁Ａａ”に接する保持ロッド３９とで、確実に支持され、木質小幅板Ａａを所定位置に所定角度で確実に並設することができる。
【００７８】
なお、ここでプレート４０に対して上下に積み込まれる各木質小幅板Ａａは、あくまでも、壁下地材Ａの構成例の一例を示すものであって、そのいずれか一方を、第一小幅板群Ａ’を構成する木質小幅板Ａａとし、他方を第二小幅板群Ａ”を構成する木質小幅板Ａａとしてあってもよい。
【００７９】
かかる一枚目の壁下地材Ａをなす木質小幅板Ａａの上に、上面に接着剤を塗布した木質小幅板Ａａを前記第一小幅板群Ａ’の木質小幅板Ａａの積み重ねの要領で並設し、この並設された第一小幅板群Ａ’の木質小幅板Ａａの上面に、前記第二小幅板群Ａ”の木質小幅板Ａａの積み重ねの要領で二枚目の壁下地材Ａをなす木質小幅板Ａａを積み重ね並設する。
【００８０】
同一要領で、三枚目、四枚目、五枚目、六枚目、七枚目、八枚目…と、目的とする組数の壁下地材分の木質小幅板Ａａを積み重ねる。
【００８１】
このように木質小幅板Ａａを組み付けた組み付け装置Ｂａにおける前記位置決め手段３０の位置決めロッド３８及び保持ロッド３９を、当該位置決めロッド３８及び保持ロッド３９を備える枠体３１を下降させることで、木質小幅板Ａａを積み重ねたプレート４０から抜き出す。
【００８２】
すなわち、前記モータ３５によって各駆動軸３４を回転させて、この駆動軸３４にあるベベルギヤ３４ａで、ボールねじ３３のねじ軸３３”を回転させ、このねじ軸３３”に螺合しているナットユニット３３’を備える枠体３１を、当該枠体３１に備えられている位置決めロッド３８及び保持ロッド３９が前記プレート４０の挿通孔４１から下方に抜け出す位置まで降下させる。
【００８３】
ついで、前記締め具１７ａを緩めて位置決め手段１７を下方に向けて回動し、プレート４０に対する引っ掛かりを解消する。
【００８４】
また、前記油圧シリンダ１５を動作させて機台１０の側方に垂下状態に備えられている補助搬送手段２０’の無端状走行体２０ａの先端を、機台１０に備えられている搬送手段２０の無端状走行体２０ａの上面に面一の状態になるまで上方に回動させる。
【００８５】
かかる組み付け装置Ｂａが加圧装置Ｂｂの直前にあることを確認して、モータ２３で駆動軸２５をチェーン２４で回転させ、この駆動軸２５にある各スプロケット２２、２２’でチェーンコンベヤ２１、２１’を駆動させて、前記壁下地材Ａを構成する木質小幅板Ａａを積み重ねたプレート４０を加圧装置Ｂｂに向けて移動させ、加圧装置Ｂｂにおけるチェーンコンベヤ５３ａ’等の無端状走行体５３ａを備える搬送手段５３を駆動状態にする。
【００８６】
このようにして、壁下地材Ａを構成する木質小幅板Ａａを積み重ねたプレート４０を加圧装置Ｂｂ、例えば、油圧プレス機５０におけるベッド５１上に位置づけ、スライダ５２を油圧装置で降下させて、このベッド５１、スライダ５２間で、当該壁下地材Ａを構成する積み重ね木質小幅板Ａａを加圧状態に保持し、各対をなす第一小幅板群Ａ’を構成する木質小幅板Ａａと第二小幅板群Ａ”を構成する木質小幅板Ａａとを互いの交叉部において接着一体にして、複数枚の壁下地材Ａを構成する。
【００８７】
なお、この組み付け装置Ｂａが加圧装置Ｂｂの直前に無い場合には、当該組み付け装置Ｂａを加圧装置Ｂｂの手前まで、前もって移動させておく。なお、加圧装置Ｂｂによる加圧接着に時間を要することから、組み付け装置Ｂａを複数の加圧装置Ｂｂの直前に移動可能に構成しておくことが好ましく、必要な木質小幅板Ａａの組み付けられた組み付け装置Ｂａから当該組み付け木質小幅板Ａａをプレート４０と共に加圧装置Ｂｂに移し、当該加圧装置Ｂｂによる加圧作業がなされている間に、この組み付け装置Ｂａに木質小幅板Ａａを組み付け、この組み付け積み重ねた木質小幅板Ａａをプレート４０と共に他の加圧装置Ｂｂに移し、さらに、これらの加圧装置Ｂｂによる加圧作業が継続している間に、当該組み付け装置Ｂａに木質小幅板Ａａの組み付け積み重ねをなすことができる。
【００８８】
このように加圧処理によって、対をなす第一小幅板群Ａ’を構成する木質小幅板Ａａと第二小幅板群Ａ”を構成する木質小幅板Ａａとを互いに交叉する部分で接着一体として構成された複数枚の壁下地材Ａは、当該加圧装置Ｂｂにおけるスライダ５２の上昇に伴って上昇される搬送手段５３の無端状走行体５３ａによって、前記プレート４０に乗せられた状態で当該加圧装置Ｂｂの後方に向けて送り出され、次のプレート４０を受け入れ得る態勢とされる。
【００８９】
また、かかる手法で得られた壁下地材Ａは、図２に示されるように、一体に接着された対をなす第一小幅板群Ａ’を構成する木質小幅板Ａａと第二小幅板群Ａ”を構成する木質小幅板Ａａの側端部が角張った出っ張りとされていることから、図２に示す線分ｙーｙで各木質小幅板Ａａの木口端部における正方形状の交叉部Ａｘの対角線から外側部分をカットし、図１に示す形状の矩形の壁下地材Ａとして用いることが好ましい。
【図面の簡単な説明】
【００９０】
【図１】典型的な壁下地材を示す斜視図
【図２】同壁下地材の周辺をカットする前の状態を示す要部正面図
【図３】プレートを備えていない状態の典型的な組み付け装置の平面図
【図４】典型的なプレートの平面図
【図５】プレートを組み付け装置に乗せかけた状態の平面図
【図６】同縦断面図
【図７】同左側面図
【図８】第一段目の木質小幅板を並設した状態の組み付け装置の平面図
【図９】同二段目の木質小幅板を並設している途中の組み付け装置の平面図
【図１０】同壁下地材を構成する各木質小幅板を積み重ねた状態の組み付け装置の正面図
【図１１】同右側面図
【図１２】同左側面図
【図１３】組み付け装置から壁下地材を構成する各木質小幅板を積み重ねたプレートを加圧装置に移動させる状態を示す平面図
【図１４】同右側面図
【図１５】同左側面図
【図１６】壁下地材を構成する各木質小幅板を積み重ねて移動可能とされているプレートの平面図
【図１７】壁下地材を構成する各木質小幅板を積み重ねたプレートの移動状態を示す要部破断平面図
【図１８】典型的な加圧装置の正面図
【図１９】同側面図
【符号の説明】
【００９１】
１０  機台
１１  台部
１２  支柱
１３  ガイド板
１４  補助ガイド板
１５  油圧シリンダ
１７  位置決め手段
２０  無端状走行体を備える搬送手段
２０’無端状走行体を備える補助搬送手段
３０  位置決め手段
３１  枠体
３８  位置決めロッド
３９  保持ロッド
４０  プレート
４１  挿通孔
５０  プレス機
５３  無端状走行体を備える搬送手段
Ａ  壁下地材
Ａ’  第一小幅板群
Ａ”  第二小幅板群  
Ｂ  製造装置
Ｂａ  組み付け装置
Ｂｂ  加圧装置
【図１】
0005022180.tif 000002
【図２】
0005022180.tif 000003
【図３】
0005022180.tif 000004
【図４】
0005022180.tif 000005
【図５】
0005022180.tif 000006
【図６】
0005022180.tif 000007
【図７】
0005022180.tif 000008
【図８】
0005022180.tif 000009
【図９】
0005022180.tif 000010
【図１０】
0005022180.tif 000011
【図１１】
0005022180.tif 000012
【図１２】
0005022180.tif 000013
【図１３】
0005022180.tif 000014
【図１４】
0005022180.tif 000015
【図１５】
0005022180.tif 000016
【図１６】
0005022180.tif 000017
【図１７】
0005022180.tif 000018
【図１８】
0005022180.tif 000019
【図１９】
0005022180.tif 000020